【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
長手方向に延在する磁気シールド側壁本体を複数有し、前記複数の磁気シールド側壁本体は、互いに組み合わされて内部に水平方向に延びる長手軸線の回りに略円筒状の空間を形成し、少なくともいずれか一つの前記磁気シールド側壁本体は、残りの前記磁気シールド側壁本体に対して移動して離間可能とされる分離型磁気シールド装置において、
前記複数の磁気シールド側壁本体は、それぞれ、互いに組み合わされて内部に前記円筒状空間を形成する磁性体を備えた磁気シールド外側壁と、前記磁気シールド外側壁の長手方向両端縁部から前記円筒状空間に対して半径方向外方へと突出した磁性体を備えた接合部磁気シールド側壁と、を備え、
前記磁気シールド側壁本体の前記磁気シールド外側壁には、前記円筒状空間の前記長手軸線方向に沿って延在する導体を設け、電流を流し、
一側の前記磁気シールド側壁本体から他側の前記磁気シールド側壁本体へと水平方向に到来する外乱磁束を、前記導体の回りに発生する磁界により、上方向又は下方向へと偏向し、前記円筒状空間への磁束の流れ込みを阻止することを特徴とする分離型磁気シールド装置。
【請求項２】
隣り合った前記磁気シールド側壁本体の対向した両前記接合部磁気シールド側壁の間に複数の、磁性体を備えた仕切磁気シールド部材を配置することを特徴とする請求項１の分離型磁気シールド装置。
【請求項３】
前記磁気シールド外側壁及び前記接合部磁気シールド側壁は、支持体に磁性体を設けることにより形成されることを特徴とする請求項１の分離型磁気シールド装置。
【請求項４】
前記仕切磁気シールド部材は、支持体に磁性体を設けることにより形成されることを特徴とする請求項２の分離型磁気シールド装置。
【請求項５】
各前記磁気シールド側壁本体に対して、前記長手方向にトロイダル状にコイルを巻回し、磁気シェイキング電流を流すことを特徴とする請求項１〜４のいずれかの項に記載の分離型磁気シールド装置。
【請求項６】
各前記磁気シールド側壁本体の長手方向両端開口部に、磁気シールドフランジ部材を設け、前記磁気シールド側壁本体の長手方向両端開口部から前記円筒状空間への磁束の流れ込みを阻止することを特徴とする請求項１〜５のいずれかの項に記載の分離型磁気シールド装置。
【請求項７】
前記磁気シールドフランジ部材は、支持体に磁性体を設けることにより形成されることを特徴とする請求項６の分離型磁気シールド装置。
【請求項８】
前記磁気シールドフランジ部材にコイルを設置して電流を流し、前記磁気シールド側壁本体の長手方向両端開口部から前記円筒状空間への磁束の流れ込みを阻止することを特徴とする請求項６又は７の分離型磁気シールド装置。
【請求項９】
隣り合った前記磁気シールド側壁本体の対向配置された前記接合部磁気シールド側壁を囲包して、軸線方向に沿ってコイルを巻回して電流を流し、隣り合った前記磁気シールド側壁本体の対向配置された前記接合部磁気シールド側壁間に形成された空隙部から前記円筒状空間への磁束の流れ込みを阻止することを特徴とする請求項１〜８のいずれかの項に記載の分離型磁気シールド装置。
【請求項１０】
前記円筒状空間は、２個、４個、６個、又は、８個の前記磁気シールド側壁本体にて囲包されることによって形成されることを特徴とする請求項１〜９のいずれかの項に記載の分離型磁気シールド装置。
【請求項１１】
前記円筒状空間を囲包する各前記磁気シールド側壁本体は、同じ寸法、形状とされることを特徴とする請求項１〜１０のいずれかの項に記載の分離型磁気シールド装置。
【請求項１２】
第１磁気シールド側壁本体と第２磁気シールド側壁本体を有し、前記第１磁気シールド側壁本体と第２磁気シールド側壁本体は、対向配置された状態にて内部に水平方向に延びる長手軸線の回りに略円筒状の空間を形成し、少なくともいずれかの前記磁気シールド側壁本体は、他方の磁気シールド側壁本体に対して移動して離間可能とされる分離型磁気シールド装置において、
前記第１及び第２磁気シールド側壁本体は、それぞれ、対向配置された状態にて内部に前記円筒状空間を形成する磁性体を備えた湾曲磁気シールド外側壁と、前記湾曲磁気シールド外側壁の上下端縁部から垂直方向に突出し、対向配置された状態にて互いに離間して対面する磁性体を備えた接合部磁気シールド側壁と、を備え、
前記第１磁気シールド側壁本体の前記湾曲磁気シールド外側壁には、前記長手軸線方向に沿って延在する第１及び第２導体を設け、電流を流し、
前記第２磁気シールド側壁本体の前記湾曲磁気シールド外側壁には、前記長手軸線方向に沿って延在する第１及び第２導体を設け、電流を流し、
前記第１磁気シールド側壁本体から前記第２磁気シールド側壁本体へと水平方向に到来する外乱磁束を、前記第１及び第２導体の回りに発生する磁界により、上下方向へと偏向し、前記円筒状空間への磁束の流れ込みを阻止することを特徴とする分離型磁気シールド装置。
【請求項１３】
前記第１磁気シールド側壁本体と第２磁気シールド側壁本体は、前記円筒状空間の前記長手軸線を通る垂直平面に対して左右対称形状とされることを特徴とする請求項１２の分離型磁気シールド装置。
【請求項１４】
前記第１及び第２磁気シールド側壁本体の対向した両前記接合部磁気シールド側壁の間に複数の、磁性体を備えた仕切磁気シールド部材を配置することを特徴とする請求項１２又は１３の分離型磁気シールド装置。
【請求項１５】
前記湾曲磁気シールド外側壁及び前記接合部磁気シールド側壁は、支持体に磁性体を設けることにより形成されることを特徴とする請求項１２〜１４のいずれかの項に記載の分離型磁気シールド装置。
【請求項１６】
前記仕切磁気シールド部材は、支持体に磁性体を設けることにより形成されることを特徴とする請求項１４の分離型磁気シールド装置。
【請求項１７】
前記第１及び第２磁気シールド側壁本体に対して、前記軸線方向にトロイダル状にコイルを巻回し、磁気シェイキング電流を流すことを特徴とする請求項１２〜１６のいずれかの項に記載の分離型磁気シールド装置。
【請求項１８】
前記第１及び第２磁気シールド側壁本体の軸線方向両端開口部に、磁気シールドフランジ部材を設け、前記第１及び第２磁気シールド側壁本体の軸線方向両端開口部から前記円筒状空間への磁束の流れ込みを阻止することを特徴とする請求項１２〜１７のいずれかの項に記載の分離型磁気シールド装置。
【請求項１９】
前記磁気シールドフランジ部材は、支持体に磁性体を設けることにより形成されることを特徴とする請求項１８の分離型磁気シールド装置。
【請求項２０】
前記磁気シールドフランジ部材にコイルを設置して電流を流し、前記第１及び第２磁気シールド側壁本体の軸線方向両端開口部から前記円筒状空間への磁束の流れ込みを阻止することを特徴とする請求項１８又は１９の分離型磁気シールド装置。
【請求項２１】
前記第１及び第２磁気シールド側壁本体の対向配置された前記接合部磁気シールド側壁を囲包して、軸線方向に沿ってコイルを巻回して電流を流し、前記第１及び第２磁気シールド側壁本体の対向配置された前記接合部磁気シールド側壁間に形成された空隙部から前記円筒状空間への磁束の流れ込みを阻止することを特徴とする請求項１２〜２０のいずれかの項に記載の分離型磁気シールド装置。
【手続補正２】
【補正対象書類名】明細書
【補正対象項目名】００１４
【補正方法】変更
【補正の内容】
【００１４】
本例では、４本の導体１０（１０ａ、１０ｂ、１０ｃ、１０ｄ）が所定の間隔にて、上下、左右対称位置に配置され、導体１０ａ、１０ｃは図面上、手前側から奥側へと、導体１０ｂ、１０ｄは図面上、奥側から手前側へと、電流が流される。図１１（ａ）にて、左側より右側へと通る水平磁束Ｈは、４本の導体１０（１０ａ、１０ｂ、１０ｃ、１０ｄ）で囲包された空間の中心部Ｓでは、磁束線の密度が薄くなっており、磁気シールドがなされていることが分かる。
【手続補正３】
【補正対象書類名】明細書
【補正対象項目名】０１３２
【補正方法】変更
【補正の内容】
【０１３２】
【図１】図１（ａ）は、本発明に係る分離型磁気シールド装置の一実施例の全体構成図であり、図１（ｂ）は、分離型磁気シールド装置の概略構成図である。
【図２】図１の分離型磁気シールド装置にて一方の磁気シールド側壁本体を除去した状態を示す図である。
【図３】本発明に係る分離型磁気シールド装置の他の実施例の全体構成図である。
【図４】本発明に係る分離型磁気シールド装置の具体的構成を説明するための概略構成図である。
【図５】図５（ａ）は、磁気シールド側壁本体の構成を説明するための図であり、図５（ｂ）は、仕切磁気シールド部材の構成を説明するための図であり、図５（ｃ）は、磁気シールドフランジ部材の構成を説明するための図である。
【図６】図６（ａ）、（ｂ）は、磁気シールド側壁本体の他の実施例の構成を説明するための図である。
【図７】図７（ａ）は、本発明に係る分離型磁気シールド装置の特徴部の構成を説明するための一実施例の全体構成図であり、図７（ｂ）は、導体に流す電流の決定方法を説明するための図である。
【図８】本発明の構成に従った場合の磁束線図である。
【図９】本発明の構成を採用しない場合の磁束線図である。
【図１０】図１０（ａ）、（ｂ）、（ｃ）は、本発明に係る分離型磁気シールド装置の他の実施例を説明する全体構成図である。
【図１１】図１１（ａ）〜（ｃ）は、本発明の原理を説明するための磁束線図である。
【図１２】従来の分離型磁気シールド装置の一例を示す全体構成図である。